【手続補正書】
【提出日】平成26年2月5日(2014.2.5)
【手続補正１】
【補正対象書類名】明細書
【補正対象項目名】発明の名称
【補正方法】変更
【補正の内容】
【発明の名称】画像表示制御装置、撮像装置、表示制御方法、及び制御プログラム
【手続補正２】
【補正対象書類名】明細書
【補正対象項目名】０００１
【補正方法】変更
【補正の内容】
【０００１】
本発明は、画像表示制御装置、撮像装置、表示制御方法、及び制御プログラムに関し、特に、画像の特定領域を示す情報を表示する技術に関する。
【手続補正３】
【補正対象書類名】明細書
【補正対象項目名】００１５
【補正方法】変更
【補正の内容】
【００１５】
従って、本発明の目的は、被写体に係る顔表示枠と人体表示枠とを表示する際、ユーザにとってこれら領域枠の視認性が良好な画像表示制御装置、撮像装置、表示制御方法、及び制御プログラムを提供することにある。
【手続補正４】
【補正対象書類名】明細書
【補正対象項目名】００１６
【補正方法】変更
【補正の内容】
【００１６】
本発明の他の目的は、フレーム数が経過して、顔領域および人体領域の少なくとも１つの特徴量に変化が生じても、安定して顔表示枠と人体表示枠とを表示することのできる画像表示制御装置、撮像装置、表示制御方法、及び制御プログラムを提供することにある。
【手続補正５】
【補正対象書類名】明細書
【補正対象項目名】００１７
【補正方法】変更
【補正の内容】
【００１７】
上記の目的を達成するため、本発明に係る画像表示制御装置は、被写体を撮影して得られた画像から前記被写体の顔領域と体領域を検出する検出手段と、前記顔領域の位置を示す第１の表示枠と、前記体領域の位置を示す第２の表示枠を生成する生成手段と、前記画像とともに前記第１および前記第２の表示枠を画面に表示する表示制御手段とを有し、前記生成手段は、前記顔領域のサイズに基づいて前記第１の表示枠を生成し、前記顔領域のサイズおよび前記体領域のサイズに基づいて前記第２の表示枠を生成することを特徴とする。
また、本発明に係る画像表示制御装置は、被写体を撮影して得られた画像から前記被写体の顔領域と体領域を検出する検出手段と、前記顔領域および前記体領域の少なくともいずれかの回転角度を検出する角度検出手段と、前記顔領域の位置を示す第１の表示枠と、前記体領域の位置を示す第２の表示枠を生成する生成手段と、前記画像とともに前記第１および前記第２の表示枠を画面に表示する表示制御手段とを有し、前記生成手段は、前記回転角度に基づいて、前記第１および前記第２の表示枠の少なくともいずれかを表示する際の角度を設定することを特徴とする。
【手続補正６】
【補正対象書類名】明細書
【補正対象項目名】００１８
【補正方法】変更
【補正の内容】
【００１８】
また、本発明に係る画像表示制御装置は、被写体を撮影して得られた画像から前記被写体の顔領域と体領域を検出する検出手段と、前記顔領域の向きを検出する角度検出手段と、前記顔領域の位置を示す第１の表示枠と、前記体領域の位置を示す第２の表示枠を生成する生成手段と、前記画像とともに前記第１および前記第２の表示枠を画面に表示する表示制御手段とを有し、前記表示制御手段は、前記顔領域の向きに応じて、前記第１の表示枠の表示形態を異ならせることを特徴とする。
また、本発明に係る画像表示制御装置は、被写体を撮影して得られた画像から前記被写体の顔領域と体領域を検出する検出手段と、前記顔領域の位置を示す第１の表示枠と、前記体領域の位置を示す第２の表示枠を生成する生成手段と、前記画像とともに前記第１および前記第２の表示枠を画面に表示する表示制御手段とを有し、前記生成手段は、前記第１の表示枠および前記第２の表示枠の少なくともいずれかを、前記顔領域と前記体領域を比較した結果の履歴に基づいて生成することを特徴とする。
【手続補正７】
【補正対象書類名】明細書
【補正対象項目名】００１９
【補正方法】変更
【補正の内容】
【００１９】
さらに、本発明に係る画像表示制御装置は、被写体を撮影して得られた画像から前記被写体の顔領域と体領域を検出する検出手段と、前記顔領域の位置を示す第１の表示枠と、前記体領域の位置を示す第２の表示枠を生成する生成手段と、前記画像とともに前記第１および前記第２の表示枠を画面に表示する表示制御手段とを有し、前記表示制御手段は、前記顔領域および前記体領域の少なくともいずれかのサイズに応じて、前記第１の表示枠と前記第２の表示枠のいずれかを表示するか、あるいは、前記第１の表示枠と前記第２の表示枠の両方を表示するかを決定することを特徴とする。
【手続補正８】
【補正対象書類名】明細書
【補正対象項目名】００２０
【補正方法】変更
【補正の内容】
【００２０】
本発明に係る撮像装置は、上記のいずれかの画像表示制御装置と、前記被写体を撮影して得られた画像を生成するための撮像手段を有することを特徴とする。
【手続補正９】
【補正対象書類名】特許請求の範囲
【補正対象項目名】全文
【補正方法】変更
【補正の内容】
【特許請求の範囲】
【請求項１】
被写体を撮影して得られた画像から前記被写体の顔領域と体領域を検出する検出手段と、
前記顔領域の位置を示す第１の表示枠と、前記体領域の位置を示す第２の表示枠を生成する生成手段と、
前記画像とともに前記第１および前記第２の表示枠を画面に表示する表示制御手段とを有し、
前記生成手段は、前記顔領域のサイズに基づいて前記第１の表示枠を生成し、前記顔領域のサイズおよび前記体領域のサイズに基づいて前記第２の表示枠を生成することを特徴とする画像表示制御装置。
【請求項２】
前記生成手段は、前記第１の表示枠に隣接するように前記第２の表示枠を生成することを特徴とする請求項１記載の画像表示制御装置。
【請求項３】
前記生成手段は、前記顔領域を囲むように前記第１の表示枠を生成し、前記体領域のうち前記顔領域を除いた領域を囲むように前記第２の表示枠を生成することを特徴とする請求項１または２に記載の画像表示制御装置。
【請求項４】
被写体を撮影して得られた画像から前記被写体の顔領域と体領域を検出する検出手段と、
前記顔領域および前記体領域の少なくともいずれかの回転角度を検出する角度検出手段と、
前記顔領域の位置を示す第１の表示枠と、前記体領域の位置を示す第２の表示枠を生成する生成手段と、
前記画像とともに前記第１および前記第２の表示枠を画面に表示する表示制御手段とを有し、
前記生成手段は、前記回転角度に基づいて、前記第１および前記第２の表示枠の少なくともいずれかを表示する際の角度を設定することを特徴とする画像表示制御装置。
【請求項５】
前記表示制御手段は、前記第１の表示枠に対して前記第２の表示枠が傾いている場合に、前記第１および前記第２の表示枠の重なり合う部分において、前記第１および前記第２の表示枠のいずれかを前記画面に表示しないことを特徴とする請求項４に記載の画像表示制御装置。
【請求項６】
被写体を撮影して得られた画像から前記被写体の顔領域と体領域を検出する検出手段と、
前記顔領域の向きを検出する角度検出手段と、
前記顔領域の位置を示す第１の表示枠と、前記体領域の位置を示す第２の表示枠を生成する生成手段と、
前記画像とともに前記第１および前記第２の表示枠を画面に表示する表示制御手段とを有し、
前記表示制御手段は、前記顔領域の向きに応じて、前記第１の表示枠の表示形態を異ならせることを特徴とする画像表示制御装置。
【請求項７】
前記表示制御手段は、前記顔領域が前向きであれば、前記第１の表示枠を前記第２の表示枠に対して手前側に表示し、前記顔領域が後ろ向きであれば、前記第１の表示枠を前記第２の表示枠に対して後ろ側に表示することを特徴とする請求項６に記載の画像表示制御装置。
【請求項８】
被写体を撮影して得られた画像から前記被写体の顔領域と体領域を検出する検出手段と、
前記顔領域の位置を示す第１の表示枠と、前記体領域の位置を示す第２の表示枠を生成する生成手段と、
前記画像とともに前記第１および前記第２の表示枠を画面に表示する表示制御手段とを有し、
前記生成手段は、前記第１の表示枠および前記第２の表示枠の少なくともいずれかを、前記顔領域と前記体領域を比較した結果の履歴に基づいて生成することを特徴とする画像表示制御装置。
【請求項９】
前記生成手段は、前記第１の表示枠および前記第２の表示枠の少なくともいずれかを、前記顔領域の角度と前記体領域の角度を比較した結果の履歴に基づく角度で生成することを特徴とする請求項８に記載の画像表示制御装置。
【請求項１０】
前記生成手段は、前記顔領域の角度と前記体領域の角度の差分が閾値以下である場合には、前記第１の表示枠と前記第２の表示枠を同じ角度で生成することを特徴とする請求項９に記載の画像表示制御装置。
【請求項１１】
前記生成手段は、前記第１の表示枠および前記第２の表示枠の少なくともいずれかを、前記顔領域のサイズと前記体領域のサイズを比較した結果の履歴に基づくサイズで生成することを特徴とする請求項８に記載の画像表示制御装置。
【請求項１２】
前記生成手段は、前記第１の表示枠および前記第２の表示枠の少なくともいずれかを、前記顔領域の位置と前記体領域の位置を比較した結果の履歴に基づく位置で生成することを特徴とする請求項８に記載の画像表示制御装置。
【請求項１３】
前記生成手段は、前記顔領域の位置と前記体領域の位置の差分が閾値以下である場合には、前記第１の表示枠と前記第２の表示枠を同軸上に生成することを特徴とする請求項１２に記載の画像表示制御装置。
【請求項１４】
被写体を撮影して得られた画像から前記被写体の顔領域と体領域を検出する検出手段と、
前記顔領域の位置を示す第１の表示枠と、前記体領域の位置を示す第２の表示枠を生成する生成手段と、
前記画像とともに前記第１および前記第２の表示枠を画面に表示する表示制御手段とを有し、
前記表示制御手段は、前記顔領域および前記体領域の少なくともいずれかのサイズに応じて、前記第１の表示枠と前記第２の表示枠のいずれかを表示するか、あるいは、前記第１の表示枠と前記第２の表示枠の両方を表示するかを決定することを特徴とする画像表示制御装置。
【請求項１５】
前記表示制御手段は、前記顔領域の面積が予め設定された第１の面積閾値を超えると、前記第２の表示枠を表示せずに前記第１の表示枠を表示し、前記顔領域の面積が前記第１の面積閾値以下だと、前記第１の表示枠と前記第２の表示枠を表示することを特徴とする請求項１４に記載の画像表示制御装置。
【請求項１６】
前記表示制御手段は、前記体領域の面積が予め設定された第２の面積閾値を超えると、前記第１の表示枠と前記第２の表示枠を表示し、前記体領域の面積が前記第２の面積閾値以下だと、前記第１の表示枠を表示せずに前記第２の表示枠を表示することを特徴とする請求項１４または１５に記載の画像表示制御装置。
【請求項１７】
前記表示制御手段は、前記顔領域の面積が予め設定された第１の面積閾値を超えると、前記第２の表示枠の表示形態を変更することを特徴とする請求項１４に記載の画像表示制御装置。
【請求項１８】
前記表示制御手段は、前記顔領域の面積が予め設定された第１の面積閾値を超えると、予め定められた時間の経過の後、前記第２の表示枠を非表示とすることを特徴とする請求項１４に記載の画像表示制御装置。
【請求項１９】
請求項１〜１８のいずれか１項に記載の画像表示制御装置と、
前記被写体を撮影して得られた画像を生成するための撮像手段を有することを特徴とする撮像装置。
【請求項２０】
被写体を撮影して得られた画像から前記被写体の顔領域と体領域を検出する検出ステップと、
前記顔領域の位置を示す第１の表示枠と、前記体領域の位置を示す第２の表示枠を生成する生成ステップと、
前記画像とともに前記第１および前記第２の表示枠を画面に表示する表示制御ステップとを有し、
前記生成ステップにおいて、前記顔領域のサイズに基づいて前記第１の表示枠を生成し、前記顔領域のサイズおよび前記体領域のサイズに基づいて前記第２の表示枠を生成することを特徴とする画像の表示制御方法。
【請求項２１】
被写体を撮影して得られた画像から前記被写体の顔領域と体領域を検出する検出ステップと、
前記顔領域および前記体領域の少なくともいずれかの回転角度を検出する角度検出ステップと、
前記顔領域の位置を示す第１の表示枠と、前記体領域の位置を示す第２の表示枠を生成する生成ステップと、
前記画像とともに前記第１および前記第２の表示枠を画面に表示する表示制御ステップとを有し、
前記生成ステップにおいて、前記回転角度に基づいて、前記第１および前記第２の表示枠の少なくともいずれかを表示する際の角度を設定することを特徴とする画像の表示制御方法。
【請求項２２】
被写体を撮影して得られた画像から前記被写体の顔領域と体領域を検出する検出ステップと、
前記顔領域の向きを検出する角度検出ステップと、
前記顔領域の位置を示す第１の表示枠と、前記体領域の位置を示す第２の表示枠を生成する生成ステップと、
前記画像とともに前記第１および前記第２の表示枠を画面に表示する表示制御ステップとを有し、
前記表示制御ステップは、前記顔領域の向きに応じて、前記第１の表示枠の表示形態を異ならせることを特徴とする画像の表示制御方法。
【請求項２３】
被写体を撮影して得られた画像から前記被写体の顔領域と体領域を検出する検出ステップと、
前記顔領域の位置を示す第１の表示枠と、前記体領域の位置を示す第２の表示枠を生成する生成ステップと、
前記画像とともに前記第１および前記第２の表示枠を画面に表示する表示制御ステップとを有し、
前記生成ステップにおいて、前記第１の表示枠および前記第２の表示枠の少なくともいずれかを、前記顔領域と前記体領域を比較した結果の履歴に基づいて生成することを特徴とする画像の表示制御方法。
【請求項２４】
被写体を撮影して得られた画像から前記被写体の顔領域と体領域を検出する検出ステップと、
前記顔領域の位置を示す第１の表示枠と、前記体領域の位置を示す第２の表示枠を生成する生成ステップと、
前記画像とともに前記第１および前記第２の表示枠を画面に表示する表示制御ステップとを有し、
前記表示制御ステップにおいて、前記顔領域および前記体領域の少なくともいずれかのサイズに応じて、前記第１の表示枠と前記第２の表示枠のいずれかを表示するか、あるいは、前記第１の表示枠と前記第２の表示枠の両方を表示するかを決定することを特徴とする画像の表示制御方法。
【請求項２５】
被写体を撮影した結果得られた画像を表示する画像表示制御装置で用いられる制御プログラムであって、
前記画像表示制御装置が備えるコンピュータに、
被写体を撮影して得られた画像から前記被写体の顔領域と体領域を検出する検出ステップと、
前記顔領域の位置を示す第１の表示枠と、前記体領域の位置を示す第２の表示枠を生成する生成ステップと、
前記画像とともに前記第１および前記第２の表示枠を画面に表示する表示制御ステップとを実行させ、
前記生成ステップにおいて、前記顔領域のサイズに基づいて前記第１の表示枠を生成させ、前記顔領域のサイズおよび前記体領域のサイズに基づいて前記第２の表示枠を生成させることを特徴とする制御プログラム。
【請求項２６】
被写体を撮影した結果得られた画像を表示する画像表示制御装置で用いられる制御プログラムであって、
前記画像表示制御装置が備えるコンピュータに、
被写体を撮影して得られた画像から前記被写体の顔領域と体領域を検出する検出ステップと、
前記顔領域および前記体領域の少なくともいずれかの回転角度を検出する角度検出ステップと、
前記顔領域の位置を示す第１の表示枠と、前記体領域の位置を示す第２の表示枠を生成する生成ステップと、
前記画像とともに前記第１および前記第２の表示枠を画面に表示する表示制御ステップとを実行させ、
前記生成ステップにおいて、前記回転角度に基づいて、前記第１および前記第２の表示枠の少なくともいずれかを表示する際の角度を設定させることを特徴とする制御プログラム。
【請求項２７】
被写体を撮影した結果得られた画像を表示する画像表示制御装置で用いられる制御プログラムであって、
前記画像表示制御装置が備えるコンピュータに、
被写体を撮影して得られた画像から前記被写体の顔領域と体領域を検出する検出ステップと、
前記顔領域の向きを検出する角度検出ステップと、
前記顔領域の位置を示す第１の表示枠と、前記体領域の位置を示す第２の表示枠を生成する生成ステップと、
前記画像とともに前記第１および前記第２の表示枠を画面に表示する表示制御ステップとを実行させ、
前記表示制御ステップは、前記顔領域の向きに応じて、前記第１の表示枠の表示形態を異ならせることを特徴とする制御プログラム。
【請求項２８】
被写体を撮影した結果得られた画像を表示する画像表示制御装置で用いられる制御プログラムであって、
前記画像表示制御装置が備えるコンピュータに、
被写体を撮影して得られた画像から前記被写体の顔領域と体領域を検出する検出ステップと、
前記顔領域の位置を示す第１の表示枠と、前記体領域の位置を示す第２の表示枠を生成する生成ステップと、
前記画像とともに前記第１および前記第２の表示枠を画面に表示する表示制御ステップとを実行させ、
前記生成ステップにおいて、前記第１の表示枠および前記第２の表示枠の少なくともいずれかを、前記顔領域と前記体領域を比較した結果の履歴に基づいて生成させることを特徴とする制御プログラム。
【請求項２９】
被写体を撮影した結果得られた画像を表示する画像表示制御装置で用いられる制御プログラムであって、
前記画像表示制御装置が備えるコンピュータに、
被写体を撮影して得られた画像から前記被写体の顔領域と体領域を検出する検出ステップと、
前記顔領域の位置を示す第１の表示枠と、前記体領域の位置を示す第２の表示枠を生成する生成ステップと、
前記画像とともに前記第１および前記第２の表示枠を画面に表示する表示制御ステップとを実行させ、
前記表示制御ステップにおいて、前記顔領域および前記体領域の少なくともいずれかのサイズに応じて、前記第１の表示枠と前記第２の表示枠のいずれかを表示するか、あるいは、前記第１の表示枠と前記第２の表示枠の両方を表示するかを決定させることを特徴とする制御プログラム。